(57)【特許請求の範囲】
【請求項１】
帯板形状の板状シート材から形成されており、六面体形状の箱に装着して用いる箱用仕切り部材であって、
前記箱の一方の対向する一対の第１側面部のうちの一方に沿って配置される側面添設板部と、該側面添設板部に一対の第１縦方向折曲げ線を介して各々連設すると共に、前記箱の他方の対向する一対の第２側面部と平行に延設して配置される一対の仕切板部とを有しており、
前記側面添設板部は、前記一対の第１縦方向折曲げ線の間の中央添設部と、端部が前記一対の第１縦方向折曲げ線と接続するように切り込まれたＬ字状又はコの字状の第１切込み線によって切り離されて、前記中央添設部よりも両側に張り出して設けられた、前記箱の一対の第２側面部の間の間隔幅と同様の横幅を両側の張出端部間に備える張出添設部とを備えており、
前記仕切板部は、前記側面添設板部とは反対側の端部が、前記箱の一対の第１側面部と平行に配置されると共に前記箱の一対の第２側面部の間の間隔幅と同様の横幅を備える端部支持部に連設することで、当該端部が位置決めされており、
前記一対の仕切板部のうちの一方が、前記側面添設板部とは反対側の端部に、第４縦方向折曲げ線を介して連設する、前記側面添設板部の前記張出添設部の張出し幅に前記中央添設部の横幅を加えた横幅と同様の横幅を備える内折り部と、端部が前記第４縦方向折曲げ線と接続するように切り込まれたＬ字状又はコの字状の第３切込み線によって切り離されて形成された、前記側面添設板部の前記張出添設部の張出し幅と同様の横幅を備える外折り部とが連続する端部第３フラップ部を有しており、該端部第３フラップ部は、前記第４縦方向折曲げ線を介して折り曲げられていて、前記箱の一対の第１側面部と平行に配置されていることで、前記仕切板部の前記側面添設板部とは反対側の端部を位置決めする前記端部支持部を形成している箱用仕切り部材。
【請求項２】
請求項１記載の箱用仕切り部材を形成するための帯板形状に裁断された板状シート材であって、
前記箱の他方の対向する一対の第２側面部と平行に延設して配置される一対の仕切板部と、その他の部分とが、色分けされている板状シート材。
【請求項３】
請求項１記載の箱用仕切り部材を、六面体形状の箱に装着してなる箱の仕切り構造であって、
前記六面体形状の箱に、１体の前記箱用仕切り部材が、前記箱の一方の対向する一対の第１側面部のうちの一方に沿って前記側面添設部を配置し、前記一対の第１側面部のうちの他方に沿って前記端部支持部を配置した状態で装着されている箱の仕切り構造。
【請求項４】
請求項１記載の箱用仕切り部材を、六面体形状の箱に装着してなる箱の仕切り構造であって、
前記六面体形状の箱に、複数体の前記箱用仕切り部材が連設して装着されており、前記箱の一方の端部に配設される前記箱用仕切り部材の前記側面添設部を、前記箱の一方の対向する一対の第１側面部のうちの一方に沿って配置し、隣接して配設される前記箱用仕切り部材の前記側面添設部を前記端部支持部として、前記箱の他方の端部側に前記箱用仕切り部材が複数連設されていると共に、前記箱の他方の端部に配設される前記箱用仕切り部材の前記端部支持部が、前記一対の第１側面部のうちの他方に沿って配置されている箱の仕切り構造。
【発明の詳細な説明】
【技術分野】
【０００１】
本発明は、箱用仕切り部材、該箱用仕切り部材を形成するための板状シート材、及び該箱用仕切り部材を箱に装着してなる箱の仕切り構造に関する。
【背景技術】
【０００２】
例えば各種の容器類や日用品等を収容物品として複数まとめて梱包して、搬送や保管や陳列に供するための箱として、ダンボール箱等の六面体形状の箱が多用されている。ダンボール箱等の六面体形状の箱は、所定の形状に裁断されたダンボール板等の板状シート材に折曲げ加工や切込み加工等を施すと共に、必要に応じて接着剤等による接合手段を用いることにより、４方の側面部と、天面部と、底面部とを備える、好ましくは正六面体形状や直方体形状の箱として形成される。
【０００３】
ダンボール箱等の六面体形状の箱は、例えばボトル形状の容器を縦横に並べて多数収容する場合に、これらが搬送中に位置ずれすることなく、梱包時の整列配置された状態を保持できるようにするために、別部材として形成された仕切り部材を箱に装着して、箱の内部を複数の区画に仕切る工夫がなされている（例えば、特許文献１参照）。
【０００４】
また、ダンボール箱等の六面体形状の箱の内部を複数の区画に仕切る一般的な仕切り部材として、例えば図８（ａ）〜（ｄ）示すように、帯板形状に裁断した一枚の板状シート材を、断面形状が凸の字形状やコの字形状となるように折り曲げた仕切り部材５０，５１（図８（ａ）、（ｂ）参照）や、帯板形状に裁断した複数枚の平板状の板状シート材による仕切り部材５２を、略平行となるように配置したり、キの字状となるように配置して装着したもの（図８（ｃ）、（ｄ）参照）が知られている。
【先行技術文献】
【特許文献】
【０００５】
【特許文献１】特開平９−２０３３０号公報
【発明の概要】
【発明が解決しようとする課題】
【０００６】
しかしながら、上記従来の六面体形状の箱に装着して用いる箱用仕切り部材では、箱の内部に配置された多数の容器類や日用品等の収容物品を、複数列に仕切って各列の収容物品が混じり合わないようにすることは可能であるが、箱用仕切り部材は、それ自体が安定した状態で箱の内部に位置決めされているものではないため、例えば搬送時の振動等によって、箱の内部で収容物品が移動すると、これに伴って箱用仕切り部材が位置ずれすることになって（図８（ａ）〜（ｄ）参照）、多数の収容物品が整列配置された梱包時の状態を保持することが困難になる。
【０００７】
特に、近年、例えばボトル容器や、紙製あるいは樹脂製のサック（２次包装）として、楕円形状や瞳形状等の横断面形状を備える包装や容器が梱包される場合があり（図８（ａ）〜（ｄ）参照）、このような横断面形状を備える包装や容器は、個々に回転方向に移動し易いものであることから、密集配置することで移動し難くなる円形や矩形等の横断面形状を備えるボトル容器等と比較して、例えば搬送時の振動等によって配列乱れを生じやすい。またこのような配列乱れは、個々の包装や容器等の収容物品が重いものである場合に一層顕著になる。
【０００８】
本発明は、帯板形状に裁断された板状シート材を用いて簡易に形成できると共に、六面体形状の箱に多数収容された収容物品が個々に移動し易いものであっても、梱包時の整列配置された状態から、搬送時の振動等によって収容物品に配列乱れが生じるのを効果的に抑制することのできる箱用仕切り部材、該箱用仕切り部材を形成するための板状シート材、及び該箱用仕切り部材を箱に装着してなる箱の仕切り構造を提供することを目的とする。
【課題を解決するための手段】
【０００９】
本発明は、帯板形状に裁断された板状シート材を折曲げ線に沿って折り曲げることにより形成され、六面体形状の箱に装着して用いる箱用仕切り部材であって、前記箱の一方の対向する一対の第１側面部のうちの一方に沿って配置される側面添設板部と、該側面添設板部に一対の第１縦方向折曲げ線を介して各々連設すると共に、前記箱の他方の対向する一対の第２側面部と平行に延設して配置される一対の仕切板部とを有しており、前記側面添設板部は、前記一対の第１縦方向折曲げ線の間の中央添設部と、端部が前記一対の第１縦方向折曲げ線と接続するように切り込まれたＬ字状又はコの字状の第１切込み線によって切り離されて、前記中央添設部よりも両側に張り出して設けられた、前記箱の一対の第２側面部の間の間隔幅と同様の横幅を両側の張出端部間に備える張出添設部とを備えており、前記仕切板部は、前記側面添設板部とは反対側の端部が、前記箱の一対の第１側面部と平行に配置されると共に前記箱の一対の第２側面部の間の間隔幅と同様の横幅を備える端部支持部に連設することで、当該端部が位置決めされる箱用仕切り部材を提供することにより、上記目的を達成したものである。
【００１０】
また、本発明は、前記箱用仕切り部材を、六面体形状の箱に装着してなる箱の仕切り構造であって、前記六面体形状の箱に、１体の前記箱用仕切り部材が、前記箱の一方の対向する一対の第１側面部のうちの一方に沿って前記側面添設部を配置し、前記一対の第１側面部のうちの他方に沿って前記端部支持部を配置した状態で装着されている箱の仕切り構造を提供することにより、上記目的を達成したものである。
【００１１】
さらに、本発明は、前記箱用仕切り部材を、六面体形状の箱に装着してなる箱の仕切り構造であって、前記六面体形状の箱に、複数体の前記箱用仕切り部材が連設して装着されており、前記箱の一方の端部に配設される前記箱用仕切り部材の前記側面添設部を、前記箱の一方の対向する一対の第１側面部のうちの一方に沿って配置し、隣接して配設される前記箱用仕切り部材の前記側面添設部を前記端部支持部として、前記箱の他方の端部側に前記箱用仕切り部材が複数連設されていると共に、前記箱の他方の端部に配設される前記箱用仕切り部材の前記端部支持部が、前記一対の第１側面部のうちの他方に沿って配置されている箱の仕切り構造を提供することにより、上記目的を達成したものである。
【発明の効果】
【００１２】
本発明の箱用仕切り部材、該箱用仕切り部材を形成するための板状シート材、又は該箱用仕切り部材を箱に装着してなる箱の仕切り構造によれば、帯板形状に裁断された板状シート材を用いて簡易に形成できると共に、六面体形状の箱に多数収容された収容物品が個々に移動し易いものであっても、梱包時の整列配置された状態から、搬送時の振動等によって収容物品に配列乱れが生じるのを効果的に抑制することができる。
【図面の簡単な説明】
【００１３】
【図１】本発明の好ましい第１実施形態に係る箱用仕切り部材の構成を説明する、六面体形状の箱を透視して示す斜視図である。
【図２】本発明の好ましい第１実施形態に係る箱用仕切り部材を形成するための板状シート材の展開図である。
【図３】本発明の好ましい第１実施形態に係る箱用仕切り部材を用いて収容物品を六面体形状の箱に梱包した状態を説明する略示上面図である。
【図４】本発明の好ましい第２実施形態に係る箱用仕切り部材の構成を説明する、六面体形状の箱を透視して示す斜視図である。
【図５】本発明の好ましい第２実施形態に係る箱用仕切り部材を形成するための板状シート材の展開図である。
【図６】六面体形状の箱に箱用仕切り部材を複数体装着してなる仕切り構造を説明する略示上面図である。
【図７】六面体形状の箱に箱用仕切り部材を用いて収容物品を梱包した他の形態を例示する略示上面図である。
【図８】（ａ）〜（ｄ）は、従来の仕切り部材を説明する略示上面図である。
【発明を実施するための形態】
【００１４】
図１に示す本発明の好ましい第１実施形態に係る箱用仕切り部材１０は、六面体形状の箱として、例えば直方体形状のダンボール箱２０に装着して用いられる。本第１実施形態では、ダンボール箱２０の内部には、図３に示すように、収容物品３０として、例えば液体洗剤が充填された楕円の横断面形状を備える多数のボトル容器やＰＰサックなどの二次包装製品（以下ボトル容器等３０とする）が、３列に整列配置されて梱包されている。多数のボトル容器等３０は、３列の各列において、楕円の横断面形状の短軸方向をダンボール箱２０の長手方向に沿った略直線状に配置すると共に、隣接するボトル容器等３０の間に隙間が生じないように密集させて梱包されている。本第１実施形態の箱用仕切り部材１０は、このような多数のボトル容器等３０が収容されたダンボール箱２０に装着されて、ダンボール箱２０の内部をボトル容器等３０の各列に沿った、楕円の横断面形状の長軸の長さと同様の幅の３列の区画に仕切ると共に、ダンボール箱２０に対して安定した状態で位置決めされることで、ダンボール箱２０の内部の３列の区画を強固に保持して、梱包された多数の収容物品に配列乱れが生じるのを効果的に抑制する機能を備える。
【００１５】
そして、本第１実施形態の箱用仕切り部材１０は、好ましくは図２に示すような帯板形状に裁断された板状シート材１１を折曲げ線１２ａ，１２ｂ，１２ｃに沿って折り曲げることにより形成され、図１に示すように、六面体形状の箱であるダンボール箱２０に装着して用いる仕切り部材である。本第１実施形態の箱用仕切り部材１０は、ダンボール箱２０の一方の対向する一対の第１側面部２１ａ，２１ｂのうちの一方の第１側面部２１ａに沿って配置される側面添設板部１３と、この側面添設板部１３に一対の第１縦方向折曲げ線１２ａを介して各々連設すると共に、ダンボール箱２０の他方の対向する一対の第２側面部２２ａ，２２ｂと平行（略平行も含む）に延設して配置される一対の仕切板部１４ａ，１４ｂとを有している。側面添設板部１３は、一対の第１縦方向折曲げ線１２ａの間の中央添設部１３ａと、端部が一対の第１縦方向折曲げ線１２ａと接続するように切り込まれたＬ字状又はコの字状（本第１実施形態ではＬ字状）の第１切込み線１６ａによって切り離されて、中央添設部１３ａよりも両側に張り出して設けられた、ダンボール箱２０の一対の第２側面部２２ａ，２２ｂの間の間隔幅Ｂ1（図３参照）と同様の横幅ｂ1（図２参照）を両側の張出端部間に備える張出添設部１３ｂとを備えている。一対の仕切板部１４ａ，１４ｂは、側面添設板部１３とは反対側の端部１５ａ，１５ｂが、ダンボール箱２０の一対の第１側面部２１ａ，２１ｂと平行（略平行も含む）に配置されると共にダンボール箱２０の一対の第２側面部２２ａ，２２ｂの間の間隔幅Ｂ1と同様の横幅ｂ2（図１参照）を備える端部支持部１７に連設することで、当該端部１５ａ，１５ｂが位置決めされるようになっている。
【００１６】
また、本第１実施形態の箱用仕切り部材１０は、一対の仕切板部１４ａ，１４ｂのうちの一方の仕切板部１４ａが、側面添設板部１３とは反対側の端部１５ａに、第２縦方向折曲げ線１２ｂを介して連設する、側面添設板部１３の張出添設部１３ｂの張出し幅ｂ3（図２参照）と同様の横幅ｂ4（図２参照）を備える端部第１フラップ部１８を有しており、一対の仕切板部１４ａ，１４ｂのうちの他方の仕切板部１４ｂが、側面添設板部１３とは反対側の端部１５ｂに、第３縦方向折曲げ線１２ｃを介して連設する、側面添設板部１３の張出添設部１３ｂの張出し幅ｂ3と同様の横幅ｂ5（図２参照）を備える外折り部１９ａと、端部が第３縦方向折曲げ線１２ｃと接続するように切り込まれたＬ字状又はコの字状（本第１実施形態ではＬ字状）の第２切込み線１６ｂによって切り離されて形成された、側面添設板部１３の中央添設部１３ａの横幅ｂ6（図２参照）と同様の横幅ｂ7（図２参照）を備える内折り部１９ｂとが連続する端部第２フラップ部１９を有している。端部第１フラップ部１８と端部第２フラップ部１９とを第２縦方向折曲げ線１２ｂや第３縦方向折曲げ線１２ｃを介して折り曲げて、これらをダンボール箱２０の一対の第１側面部２１ａ，２１ｂと平行（略平行も含む）に配置することで、仕切板部１４ａ，１４ｂの側面添設板部１３とは反対側の端部１５ａ，１５ｂを位置決めする端部支持部１７が形成されるようになっている（図１参照）。
【００１７】
さらに、本第１実施形態では、六面体形状の箱であるダンボール箱２０に、上述の構成を備える１体の箱用仕切り部材１０が、ダンボール箱２０の一方の対向する一対の第１側面部２１ａ，２１ｂのうちの一方の第１側面部２１ａに沿って側面添設部１３を配置し、一対の第１側面部２１ａ，２１ｂのうちの他方の第１側面部２１ｂに沿って、端部第１フラップ部１８と端部第２フラップ部１９とによる端部支持部１７を配置した状態で装着されていることで、ダンボール箱２０の仕切り構造が形成されている。
【００１８】
本第１実施形態では、六面体形状の箱であるダンボール箱２０は、公知の一般的なダンボール箱と同様にして、縦横２０〜４０ｃｍ程度、高さ２０〜３０ｃｍ程度の大きさの、梱包に便利な好ましくは直方体形状に形成される。すなわち、ダンボール箱２０は、例えば所定の展開形状となるように裁断された板状シート材であるダンボール板に、折曲げ加工や切込み加工等を施すと共に、必要に応じて接着剤等による接合手段を用いることにより、４方の側面部２１ａ，２１ｂ，２２ａ，２２ｂと、天面部と、底面部とを備える直方体形状の箱として形成される。ダンボール箱２０には、例えば天面部を開放した状態で、箱用仕切り部材１０と共に多数のボトル容器等３０が、整列配置された状態で内部に収容される。多数のボトル容器等３０を収容した後に、天面部を閉塞することで多数のボトル容器等３０が梱包されて、保管場所や販売場所まで搬送される。本第１実施形態では、多数のボトル容器等３０は、箱用仕切り部材１０と共に梱包されることによって、搬送され後も、梱包時の整列配置された状態を容易に保持することが可能になる。
【００１９】
そして、本第１実施形態では、箱用仕切り部材１０は、図２に示すような帯板形状に裁断された板状シート材１１として、ダンボール板を用いて形成される。ダンボール板１１は、ダンボール箱２０の高さよりも若干小さな、これと同様の幅を有する横長の帯板形状を備えている。ダンボール板１１の図２における横長方向の中央部分には、罫線やミシン目等からなる一対の第１縦方向折曲げ線１２ａが、間隔をおいて平行に配置されると共に、上辺部１１ａから垂直下方に上下方向中間部分まで延設して設けられている。また、ダンボール箱２０の横長方向の中央部分には、一対の第１縦方向折曲げ線１２ａの下端部に一端部が各々接続されて、角部が斜めに面取りされたＬ字状の一対の第１切込み線１６ａが、一対の第１縦方向折曲げ線１２ａから両側に張り出すようにして各々設けられている。これらのＬ字状の一対の第１切込み線１６ａは、他端部がダンボール板１１の下辺部１１ｂに臨むように形成されている。
【００２０】
ここで、ダンボール板１１の中央部分の一対の第１縦方向折曲げ線１２ａ及び一対の第１切込み線１６ａによって挟まれる部分が、箱用仕切り部材１０の側面添設板部１３を構成する。一対の第１縦方向折曲げ線１２ａの間の部分が、側面添設板部１３の中央添設部１３ａを構成する。一対の第１切込み線１６ａの間の部分が、側面添設板部１３の、ダンボール箱２０の一対の第２側面部２２ａ，２２ｂの間の間隔幅Ｂ1と同様の横幅ｂ1を両側の張出端部間に備える張出添設部１３ｂを構成する。
【００２１】
また、本第１実施形態では、ダンボール板１１の、図２における左側の端部分には、左側の端辺部１１ｃから、側面添設板部１３の張出添設部１３ｂの第１縦方向折曲げ線１２ａからの張出し幅ｂ3と同様の間隔をおいて、罫線やミシン目等からなる第２縦方向折曲げ線１２ｂが、上辺部１１ａと下辺部１１ｂとの間を横断するようにして端辺部１１ｃと平行に延設して設けられている。第２縦方向折曲げ線１２ｂと左側の端辺部１１ｃとの間の部分が、側面添設板部１３の張出添設部１３ｂの張出し幅ｂ3と同様の横幅ｂ4を備える箱用仕切り部材１０の端部第１フラップ部１８を構成する。
【００２２】
さらに、本第１実施形態では、ダンボール板１１の、図２における右側の端部分には、右側の端辺部１１ｄから、側面添設板部１３の張出添設部１３ｂの第１縦方向折曲げ線１２ａからの張出し幅ｂ3と同様の間隔をおいて、例えば罫線やミシン目等からなる第３縦方向折曲げ線１２ｃが、上下方向中間部分まで垂直下方に延設して設けられている。またダンボール板１１の右側の端部分には、第３縦方向折曲げ線１２ｃの下端部に一端部が接続して、角部が斜めに面取りされたＬ字状の第２切込み線１６ｂが、第３縦方向折曲げ線１２ｃからダンボール板１１の中央側に張り出すようにして設けられている。Ｌ字状の第２切込み線１６ｂは、他端部がダンボール板１１の下辺部１１ｂに臨むように形成されている。
【００２３】
ここで、ダンボール板１１の右側の端辺部１１ｄと第３縦方向折曲げ線１２ｃ及び第２切込み線１６ｂとの間の部分が、箱用仕切り部材１０の端部第２フラップ部１９を構成する。第３縦方向折曲げ線１２ｃよりも右側の部分が、端部第２フラップ部１９の、側面添設板部１３の張出添設部１３ｂの張出し幅ｂ3と同様の横幅ｂ5を備える外折り部１９ａを構成する。第３縦方向折曲げ線１２ｃよりも左側の、第２切込み線１６ｂによって囲まれる部分が、端部第２フラップ部１９の、側面添設板部１３の中央添設部１３ａの横幅ｂ6と同様の横幅ｂ7を備える内折り部１９ｂを構成する。
【００２４】
さらにまた、本第１実施形態では、ダンボール板１１の、左側の端部分の第２縦方向折曲げ線１２ｂと、中央部分の左側の第１縦方向折曲げ線１２ａ及び第１切込み線１６ａとによって挟まれる部分が、端部１５ａに端部第１フラップ部１８が連設する、一方の仕切板部１４ａを構成する。ダンボール板１１の、右側の端部分の第３縦方向折曲げ線１２ｃ及び第２切込み線１６ｂと、中央部分の右側の第１縦方向折曲げ線１２ａ及び第１切込み線１６ａとによって挟まれる部分が、端部１５ｂに端部第２フラップ部１９が連設する、他方の仕切板部１４ｂを構成する。これらの仕切板部１４ａ，１４ｂは、第２縦方向折曲げ線１２ｂと第１縦方向折曲げ線１２ａとの間の横幅ｂ8や、第３縦方向折曲げ線１２ｃと第１縦方向折曲げ線１２ａとの間の横幅ｂ9が、いずれも、ダンボール箱２０の一対の第１側面部２１ａ，２１ｂの間の間隔幅Ｂ2（図３参照）と同様の幅となるように形成されている。
【００２５】
また、本第１実施形態では、ダンボール板１１は、ダンボール箱２０の他方の対向する一対の第２側面部２２ａ，２２ｂと平行に延設して配置される部分である、一対の仕切板部１４ａ，１４ｂを構成する部分と、その他の部分である、側面添設板部１３や端部第１フラップ部１８や端部第２フラップ部１９を構成する部分とが、色分けされて形成されている。ダンボール箱２０の他方の対向する一対の第２側面部２２ａ，２２ｂと平行に延設して配置される一対の仕切板部１４ａ，１４ｂと、その他の部分とが色分けされていることにより、当該ダンボール板１１を購入した使用者が、当該ダンボール板１１を用いて、正しい立体形状の箱用仕切り部材１０をスムーズに形成できるように容易に誘導することが可能になる。
【００２６】
さらに、本第１実施形態では、ダンボール板１１の端部第２フラップ部１９の内折り部１９ｂの先端部に、係止片２３が、Ｌ字状の第２切込み線１６ｂの縦線部の中間部分をダンボール板１１の中央部分側に凸状に食い込ませることによって形成されている。一方、ダンボール板１１の左側の端部分の第２縦方向折曲げ線１２ｂには、係止片２３と対応する高さ位置に、係止孔２４が切り込み形成されている。後述するように、ダンボール板１１から立体形状の箱用仕切り部材１０を組み立てる際に、端部第２フラップ部１９の内折り部１９ｂの先端部の係止片２３を、第２縦方向折曲げ線１２ｂに形成された係止孔２４に挿入係止することで、組み立てた箱用仕切り部材１０の立体形状を安定した状態で保持させることが可能になる。
【００２７】
本第１実施形態の箱用仕切り部材１０は、図２に示す帯板形状に裁断されたダンボール板１１を用いて、容易に組立て形成することができる。すなわち、ダンボール板１１の横長方向の中央部分の一対の第１縦方向折曲げ線１２ａを介して、一対の仕切板部１４ａ，１４ｂを、側面添設板部１３に対して垂直に、且つ互いに平行に延設するように折り曲げる。これによって、側面添設板部１３の下部の張出添設部１３ｂは、一対の仕切板部１４ａ，１４ｂの両側に張り出した状態となる。しかる後に、一方の仕切板部１４ａの側面添設板部１３とは反対側の端部１５ａに連設する端部第１フラップ部１８を、第２縦方向折曲げ線１２ｂを介して外側に、仕切板部１４ａに対して垂直に折り曲げる。また、他方の仕切板部１４ｂの側面添設板部１３とは反対側の端部１５ｂに連設する端部第１フラップ部１９を、第３縦方向折曲げ線１２ｃを介して、外折り部１９ａが外側に、内折り部１９ｂが内側に各々配置されるように仕切板部１４ｂに対して垂直に折り曲げる。そして、内折り部１９ｂの先端部の係止片２３を、一方の仕切板部１４ａと端部第１フラップ部１８との間の第２縦方向折曲げ線１２ｂに形成された係止孔２４に挿入係止することで、図１に示すような立体形状の箱用仕切り部材１０を容易に形成することができる。
【００２８】
形成された箱用仕切り部材１０は、上述のように、ダンボール箱２０の一方の第１側面部２１ａに沿って側面添設部１３を配置し、他方の第１側面部２１ｂに沿って、端部第１フラップ部１８と端部第２フラップ部１９とによる端部支持部１７を配置した状態で、ダンボール箱２０に装着され、一対の仕切板部１４ａ，１４ｂで仕切ることによって、ダンボール箱２０の内部を３列に区画する。内部が３列に区画されたダンボール箱２０には、図３に示すように、多数のボトル容器等３０が、各列において、楕円の横断面形状の短軸方向をダンボール箱２０の長手方向に沿った略直線状に配置すると共に、隣接するボトル容器等３０の間に隙間が生じないように密集して整列配置された状態で、梱包されることになる。
【００２９】
そして、本第１実施形態によれば、箱用仕切り部材１０は、帯板形状に裁断された板状シート材としてのダンボール板１１を用いて、簡易に形成できると共に、六面体形状のダンボール箱２０に多数収容された収容物品が、楕円の横断面形状を備えるボトル容器等３０であって個々に移動し易いものであっても、梱包時の整列配置された状態から、搬送時の振動等によって収容されたボトル容器等３０に配列乱れが生じるのを効果的に抑制することが可能になる。
【００３０】
すなわち、本第１実施形態によれば、上述のように、所定の箇所に折曲げ線１２ａ，１２ｂ，１２ｃや切込み線１６ａ，１６ｂを設けただけの、帯板形状に裁断された１枚のダンボール板１１を用いて、箱用仕切り部材１０を簡易に形成することができる。
【００３１】
また、本第１実施形態によれば、箱用仕切り部材１０は、ダンボール箱２０の一方の第１側面部２１ａに沿って配置される側面添設板部１３が、ダンボール箱２０の一対の第２側面部２２ａ，２２ｂの間の間隔幅Ｂ1と同様の横幅ｂ1を両側の張出端部間に備える張出添設部１３ｂを有している。また一対の仕切板部１４ａ，１４ｂの側面添設板部１３とは反対側の端部１５ａ，１５ｂは、当該端部１５ａ，１５ｂに連設する端部第１フラップ部１８と端部第２フラップ部１９とによる、ダンボール箱２０の他方の第１側面部２１ｂに沿って配置されると共にダンボール箱２０の一対の第２側面部２２ａ，２２ｂの間の間隔幅Ｂ1と同様の横幅ｂ2を有する端部支持部１７によって各々支持されている。
【００３２】
したがって、本第１実施形態によれば、ダンボール箱２０に装着された箱用仕切り部材１０は、ダンボール箱２０の一方の第１側面部２１ａの内側面に沿って配置された側面添設板部１３の張出添設部１３ｂの両側の張出し端部が、一方の第１側面部２１ａの両側の一対の第２側面部２２ａ，２２ｂとの間の角部分に固定されると共に、ダンボール箱２０の他方の第１側面部２１ｂの内側面に沿って配置された端部支持部１７の両側の端部が、他方の第１側面部２１ｂの両側の一対の第２側面部２２ａ，２２ｂとの間の角部分に固定されることになる。これらによって、一方の第１側面部２１ａの内側面に沿って側面添設板部１３が強固に位置決めされることになると共に、他方の第１側面部２１ｂの内側面に沿って端部支持部１７が強固に位置決めされることになる。またこれらに連設していることで両端が各々支持された一対の仕切板部１４ａ，１４ｂもまた、位置ずれを生じることのない安定した状態でダンボール箱２０の内部に位置決めされることになるので、これらの仕切板部１４ａ，１４ｂによって仕切られた３列の区画を強固に保持して、ボトル容器等３０が個々に移動し易い収容物品であっても、梱包された多数の収容物品に搬送時の振動等による配列乱れが生じるのを、効果的に抑制することが可能になる。
【００３３】
図４は、本発明の好ましい第２実施形態の箱用仕切り部材４０を説明するものである。本第２実施形態の箱用仕切り部材４０は、図５に示すような帯板形状に裁断されたダンボール板４１を用いて形成される。本第２実施形態の箱用仕切り部材４０は、側面添設板部４３が、上下各一対の第１縦方向折曲げ線４２ａの間の上下の中央添設部４３ａと、端部が上下各一対の第１縦方向折曲げ線４２ａと接続するように切り込まれたコの字状の第１切込み線４６ａによって切り離されて、中央添設部４３ａよりも両側に張り出して設けられた、ダンボール箱２０の一対の第２側面部２２ａ，２２ｂの間の間隔幅Ｂ1と同様の横幅ｂ10を両側の張出端部間に備える張出添設部４３ｂとからなっている点で、側面添設板部１３が略Ｔ字形状となっている上記第１実施形態の箱用仕切り部材１０と相違している。
【００３４】
また、本第２実施形態の箱用仕切り部材４０は、仕切板部４４ａ，４４ｂの側面添設板部４３とは反対側の端部４５ａ，４５ｂが位置決めされる端部支持部４７の構成が、上記第１実施形態の箱用仕切り部材１０のものと相違している。
【００３５】
すなわち、本第２実施形態では、一対の仕切板部４４ａ，４４ｂのうちの一方の仕切板部４４ｂが、側面添設板部４３とは反対側の端部４５ｂに、第４縦方向折曲げ線４２ｂを介して連設する、側面添設板部４３の張出添設部４３ｂの一方の張出し幅ｂ11に中央添設部４３ａの横幅ｂ12を加えた横幅と同様の横幅ｂ13を備える内折り部４９ｂと、端部が第４縦方向折曲げ線４２ｂと接続するように切り込まれたＬ字状の第３切込み線４６ｂによって切り離されて形成された、側面添設板部１３の張出添設部４３ｂの一方の張出し幅ｂ11と同様の横幅ｂ14を備える外折り部４９ａとが連続する端部第３フラップ部４９を有している。この端部第３フラップ部４９を第４縦方向折曲げ線４２ｂを介して折り曲げて、ダンボール箱２０の一対の第１側面部２１ａ，２１ｂと平行に配置することで、仕切板部４４ａ，４４ｂの側面添設板部４３とは反対側の端部４５ａ，４５ｂを位置決めする端部支持部４７が形成されるようになっている。
【００３６】
本第２実施形態の箱用仕切り部材４０によっても、ダンボール箱２０の一方の第１側面部２１ａに沿って側面添設部４３を配置し、他方の第１側面部２１ｂに沿って、端部第３フラップ部４９による端部支持部４７を配置して、強固に位置決めされた状態でダンボール箱２０に装着されることにより、一対の仕切板部１４ａ，１４ｂによってダンボール箱２０の内部を３列に区画して、上記第１実施形態と同様の作用効果が奏される。
【００３７】
図６は、六面体形状のダンボール箱６０に箱用仕切り部材５０，５０’を複数体装着してなる仕切り構造を説明するものである。図６に示す仕切り構造では、横長の直方体形状のダンボール箱６０に、例えば３体の箱用仕切り部材５０，５０’が連設して装着されている。ここで、連設される３体の箱用仕切り部材５０，５０’のうちの、図６における左側の２体の箱用仕切り部材５０は、側面添設板部５３と、この側面添設板部５３と連設してダンボール箱６０の他方の対向する一対の第２側面部６２ａ，６２ｂと平行に延設して配置される、一対の仕切板部５４とを有しているのみで、端部支持部に相当する部分を備えていないものとなっている。図６における右端の１体の箱用仕切り部材５０’は、上記第１実施形態や第２実施形態の箱用仕切り部材１０，４０と同様に、仕切板部５４’の側面添設板部５３’とは反対側の端部５５’を位置決めする端部支持部５７’が、当該端部５５’と連設して設けられている。
【００３８】
そして、ダンボール箱６０の左側の端部に配設される箱用仕切り部材５０の側面添設部５３を、ダンボール箱６０の一方の対向する一対の第１側面部６１ａ，６１ｂのうちの一方の側面部６１ａに沿って配置し、隣接して配設される箱用仕切り部材５０の側面添設部５３，５３’を端部支持部５７として、ダンボール箱６０の右側の端部側に箱用仕切り部材５０が複数（２体）連設されている。またダンボール箱６０の右側の端部に配設される箱用仕切り部材５０’の端部支持部５７’が、一対の第１側面部６２ａ，６２ｂのうちの他方の側面部６２ｂに沿って配置されている。
【００３９】
図６に示す箱の仕切り構造によっても、側面添設部５３，５３’や端部支持部５７，５７’に両端が支持されることで、安定した状態で位置決めされた各一対の仕切板部５４，５４’によってダンボール箱６０の内部を３列に区画して、多数の収容物品３０を整列配置した状態で収容することにより、上記各実施形態と同様の作用効果が奏される。
【００４０】
なお、本発明は上記各実施形態に限定されることなく種々の変更が可能である。例えば、帯板形状の板状シート材は、ダンボール板である必要は必ずしもなく、相当の保形剛性を備えると共に折り曲げ線に沿って折り曲げることが可能な、合成樹脂等からなるその他の種々の板状のシート材であっても良い。箱用仕切り部材が装着される六面体形状の箱は、ダンボール箱の他、合成樹脂等からなるその他の種々の箱体であっても良い。箱用仕切り部材と共に六面体形状の箱に収容される収容物品は、楕円や瞳形の横断面形状を備える位置ずれし易い形状のボトル容器等である必要は必ずしもなく、円形や略矩形等の横断面形状を備えるボトル容器等であっても良い。ボトル容器等以外の、その他の容器類や日用品等の、種々の形状を有する収容物品であっても良い。
【００４１】
本発明の箱用仕切り部材によって、六面体形状の箱の内部を３列の区画の仕切る必要は必ずしもなく、また箱用仕切り部材は、他の仕切り部材と組み合わせて用いることもできる。例えば図７に示すように、箱用仕切り部材７０の一対の仕切板部７１の間に収容物品７２を２列配置すると共に、これらの２列の収容物品７２の間に平板状の仕切り板７３を挟みこんで、収容物品７２を４列に整列配置して収容することもできる。
【符号の説明】
【００４２】
１０，４０，５０，５０’  箱用仕切り部材
１１，４１  ダンボール板（板状シート材）
１２ａ，４２ａ  第１縦方向折曲げ線
１２ｂ  第２縦方向折曲げ線
１２ｃ  第３縦方向折曲げ線
１３，４３，５３  側面添設板部
１３ａ，４３ａ  中央添設部
１３ｂ，４３ｂ  張出添設部
１４ａ，１４ｂ，４４ａ，４４ｂ，５４，５４’  仕切板部
１５ａ，１５ｂ，４５ａ，４５ｂ，５５’  仕切板部の側面添設板部とは反対側の端部
１６ａ  第１切込み線
１６ｂ  第２切込み線
１７，４７，５７，５７’  端部支持部
１８  端部第１フラップ部
１９  端部第２フラップ部
１９ａ  外折り部
１９ｂ  内折り部
２０，６０  ダンボール箱（六面体形状の箱）
２１ａ，２１ｂ，６１ａ，６１ｂ  ダンボール箱の一方の対向する一対の第１側面部
２２ａ，２２ｂ，６２ａ，６２ｂ  ダンボール箱の他方の対向する一対の第２側面部
３０  ボトル容器等（収容物品）
４２ｂ  第４縦方向折曲げ線
４６ｂ  第３切込み線
４９  端部第３フラップ部
【図１】
0005981715.tif 000002
【図２】
0005981715.tif 000003
【図３】
0005981715.tif 000004
【図４】
0005981715.tif 000005
【図５】
0005981715.tif 000006
【図６】
0005981715.tif 000007
【図７】
0005981715.tif 000008
【図８】
0005981715.tif 000009